(57)【特許請求の範囲】
【請求項１】
内側から外側に向かって、水平偏向コイル、絶縁枠、垂直偏向コイル及びフェライトコアがこの順に設けられた偏向ヨークであって、前記絶縁枠の小口径部外壁に、前記フェライトコアの小口径部外壁に対して管軸に向かう押圧力を印加することで前記フェライトコアの前記小口径部外壁を保持するための複数の弾性突起部が立設されており、前記押圧力の前記管軸方向に平行な方向の力成分により前記フェライトコアの大口径部が前記絶縁枠の大口径部側に押圧されていることを特徴とする偏向ヨーク。
【請求項２】
前記フェライトコアの小口径部外壁に、その小口径部の端側にいくに従い径が小さくなるテーパ部を備え、前記弾性突起部は前記テーパ部を保持していることを特徴とする請求項１に記載の偏向ヨーク。
【請求項３】
前記弾性突起部の先端部には、前記フェライトコアの前記小口径部外壁を弾性的に保持する屈曲部が形成されていることを特徴とする請求項１に記載の偏向ヨーク。
【請求項４】
前記弾性突起部は、前記偏向ヨークがカラー陰極線管に装着された際に、水平軸及び管軸を含む面に対して対称に一対配置されていることを特徴とする請求項１に記載の偏向ヨーク。
【請求項５】
前記偏向ヨークがカラー陰極線管に装着された際に、垂直軸及び管軸を含む面に対して対称をなす突起部が前記絶縁枠の小口径部外壁に形成されていることを特徴とする請求項１に記載の偏向ヨーク。
【請求項６】
請求項１〜５のいずれかに記載の偏向ヨークを備えたことを特徴とするカラー陰極線管装置。
【発明の詳細な説明】
【０００１】
【発明の属する技術分野】
本発明は、テレビジョン受像機、コンピュータディスプレイ等のカラー陰極線管に用いられる偏向ヨーク及びこれを備えたカラー陰極線管装置に関するものである。
【０００２】
【従来の技術】
一般的に、偏向ヨークでは、偏向ヨークの小口径部での磁界強度が最も強いため、偏向ヨークのフェライトコアにおける小口径部の位置ずれが、コンバーゼンス特性に大きく影響する。その対策として、実開平５−１１２９２号公報に以下の技術が開示されている。
【０００３】
図５及び図７に示すように、偏向ヨークには、それぞれが円錐台面形状である、水平偏向コイル１、絶縁枠２、垂直偏向コイル３及びフェライトコア４が内側から外側に向かって順次設けられている。また、絶縁枠２には、その小口径部外壁２ａに左右対称に立設され、かつフェライトコア４の小口径部内壁４ｂに当接してフェライトコア４の左右方向の位置ずれを規制する複数の弾性突起部５が形成されている。そして、フェライトコア４を絶縁枠２に固着するために、絶縁枠２の大口径部２ｂとフェライトコア４の大口径部４ｄとがホットメルト接着剤６により固着されている。
【０００４】
【発明が解決しようとする課題】
しかしながら、一般に図６に示すように、管軸Ｚに垂直な断面において、垂直偏向コイル３の内面はほぼ円形であるのに対して、その外面は水平軸Ｘ方向を長軸とする略楕円形である。即ち、垂直偏向コイル３の垂直軸Ｙ上の肉厚は、水平軸Ｘ上の肉厚より小さい。従って、垂直偏向コイル３の外壁面とフェライトコア４の小口径部内壁４ｂとの間に、垂直軸Ｙ方向の隙間δ２が発生することがあった。
【０００５】
また、偏向ヨークの組立工程において、絶縁枠２にフェライトコア４を装着した際、図５に示すように、フェライトコア４の小口径部内壁４ｂがその小口径部の端側が小となるテーパ部を有する場合には、弾性突起部５の弾性力が小口径部内壁４ｂのテーパ部に対して管軸Ｚに対して傾斜した矢印Ｃの方向に作用する。或いは、上記同様の組立工程時において、図７に示すように、フェライトコア４の小口径部内壁４ｂに対し、弾性突起部５の先端部５ａが下方向に曲がった場合には、弾性突起部５の弾性力が小口径部内壁４ｂに対して上記同様に管軸Ｚに対して傾斜した矢印Ｃの方向に作用する。その結果、上記いずれの構成も、弾性突起部５による弾性力は、フェライトコア４に対して、管軸Ｚ方向において、フェライトコア４の大口径部４ｄが絶縁枠２の大口径部２ｂから離間するようにに作用し、垂直偏向コイル３とフェライトコア４との間に管軸方向の隙間δ１が発生することがあった。
【０００６】
その結果、この偏向ヨークをカラー陰極線管に装着した場合、フェライトコア４がカラー陰極線管の垂直軸Ｙ方向及び管軸Ｚ方向にずれて、フェライトコア４を最適位置に保持できないという問題があった。したがって、この問題により、図８に示すＹＨクロス型ミスコンバーゼンスが発生し、画像に悪影響を及ぼしていた。
【０００７】
本発明は、このような課題を解決するためになされたもので、フェライトコアを垂直軸方向において最適位置に保持できる偏向ヨークを提供することを第１の目的とする。また、本発明は、フェライトコアを垂直軸方向に加えて管軸方向にも最適位置に保持できる偏向ヨークを提供することを第２の目的とする。更に、本発明は、フェライトコアを所望する位置に保持することによりＹＨクロス型ミスコンバーゼンスの発生が抑えられたカラー陰極線管装置を提供することを第３の目的とする。
【０００８】
【課題を解決するための手段】
本発明の偏向ヨークは、内側から外側に向かって、水平偏向コイル、絶縁枠、垂直偏向コイル及びフェライトコアがこの順に設けられた偏向ヨークであって、前記絶縁枠の小口径部外壁に、前記フェライトコアの小口径部外壁に対して管軸に向かう押圧力を印加することで前記フェライトコアの前記小口径部外壁を保持するための複数の弾性突起部が立設されており、前記押圧力の前記管軸方向に平行な方向の力成分により前記フェライトコアの大口径部が前記絶縁枠の大口径部側に押圧されている。
【０００９】
この構成により、複数の弾性突起部により、フェライトコアの中心が管軸上に位置規制される。
【００１０】
上記において、前記フェライトコアの小口径部外壁に、その小口径部の端側にいくに従い径が小さくなるテーパ部を備え、前記弾性突起部は前記テーパ部を保持していることが好ましい。
【００１１】
これにより、組立工程において、フェライトコアを絶縁枠に装着した際、弾性突起部は管軸方向に対して斜め方向の弾性押圧力をテーパ面に付与する。従って、該弾性押圧力の管軸方向成分が、管軸方向において、フェライトコアの大口径部を絶縁枠の大口径部側に押圧するように作用する。この結果、フェライトコアの管軸方向の位置を正確に規制することができる。
【００１２】
次に、本発明のカラー陰極線管装置は、上記の本発明の偏向ヨークを備えている。これにより、フェライトコアの小口径部を所望する位置で保持することができるので、ＹＨクロス型ミスコンバーゼンスの発生が少ない、良好な画像表示が可能になる。
【００１３】
【発明の実施の形態】
以下、本発明の実施の形態について、図面を用いて説明する。
【００１４】
図４に示すように、本発明の一実施の形態に係るカラー陰極線管装置は、蛍光面１１ａを有するパネル１１、蛍光面１１ａと対向する位置に設けられたシャドウマスク１２を有するフレーム１３、及びネック管部１４ａ内に電子銃１５を有し、ネック管部１４ａとパネル１１の間を接続するファンネル部１４からなるカラー陰極線管と偏向ヨーク１０とから構成されている。以下の説明の便宜のために図示したように、管軸を通り、かつ管軸に垂直な水平方向の軸を水平軸Ｘ、管軸を通り、かつ管軸に垂直な垂直方向の軸を垂直軸Ｙ、管軸の軸を管軸ＺとするＸＹＺの３次元直交座標系を設定する。
【００１５】
偏向ヨーク１０は、電子銃１５からの電子ビームを偏向するためにファンネル部１４の外周上に設けられる。図１に示すように、偏向ヨーク１０は、それぞれが円錐台面形状である、水平偏向コイル１、絶縁枠２０、垂直偏向コイル３及びフェライトコア４が内側から外側に向かって順次設けられ、ホットメルト接着剤６により、絶縁枠２０の大口径部２０ｂとフェライトコア４の大口径部４ｄとが固着されて構成されている。フェライトコア４は図２に示すように、垂直軸Ｙ及び管軸Ｚを含む面により２に分割された一対の半体を組み合わせて構成されている。また、フェライトコア４の小口径部外壁４ａには、その小口径部の端側にいくに従って径が小さくなるテーパ部４ｅを全周面に有している。
【００１６】
絶縁枠２０には、図２にも示すように、その小口径部外壁２０ａに立設しかつフェライトコア４の小口径部外壁４ａにおけるテーパ部４ｅを保持する複数の弾性突起部２１及びフェライトコア４の小口径部内壁４ｂを位置規制する複数の突起部２２がそれぞれ形成されている。
【００１７】
図３に弾性突起部２１の先端部を示す。複数の弾性突起部２１は、フェライトコア４をその中心が管軸Ｚに一致するように位置規制するためのものであり、例えば、弾性突起部２１の先端部には、フェライトコア４の小口径部外壁４ａにおけるテーパ部４ｅを弾性的に保持する一対の屈曲部２１ｄが形成されている。この屈曲部２１ｄは、弾性突起部２１と一体に成形された屈曲形状の樹脂製の板バネからなり、フェライトコア４の小口径部外壁４ａにおけるテーパ部４ｅに圧接する。一対の屈曲部２１ｄは、図２に示すように、フェライトコア４を構成する一対の半体をそれぞれ押圧する。一対の屈曲部２１ｄは、管軸Ｚに直交する面内において、各半体のテーパ部４ｅに作用する弾性押圧力Ｆの方向が管軸Ｚに向かうように形成されている。
【００１８】
弾性突起部２１は、偏向ヨーク１０がカラー陰極線管に装着された際に、水平軸Ｘ及び管軸Ｚを含む面に対して対称に配置された一対の弾性突起部２１ａ、２１ｂからなり、これにより、フェライトコア４の垂直軸Ｙ方向の位置ずれを規制する。
【００１９】
突起部２２は、偏向ヨーク１０がカラー陰極線管に装着された際に、垂直軸Ｙ及び管軸Ｚを含む面に対して対称に配置された一対の突起部２２ａ、２２ｂからなり、フェライトコア４を構成する一対の半体の内壁とそれぞれ当接する。これにより、フェライトコア４の水平軸Ｘ方向の位置ずれを規制する。
【００２０】
なお、弾性突起部２１及び突起部２２として、垂直軸Ｙ上に取り付けた一対の弾性突起部２１ａ、２１ｂ及び水平軸Ｘ上に取り付けた一対の突起部２２ａ、２２ｂを説明したが、弾性突起部２１及び突起部２２の取付位置及び個数は上記の例に限定されず、例えば、フェライトコア４が円周方向に３分割、４分割等の複数分割されている場合には、弾性突起部２１を分割位置に対応して、また、突起部２２を分割された個々のコアに対向させて、それぞれ分割数と同数だけ設けてもよい。
【００２１】
また、フェライトコア４の小口径部外壁４ａにおけるテーパ部４ｅは、全周に設けた例を説明したが、これに限らず、弾性突起部２１と接触する部分のみに設けてもよい。すなわち、少なくとも弾性突起部２１と接触する部分に設ければよい。
【００２２】
また、弾性突起部２１は、フェライトコア４の小口径部外壁４ａに対して上記した弾性押圧力Ｆを付与することができれば、上記のような屈曲部２１ｄとは異なる構成であっても良く、あるいは屈曲部２１ｄを有していなくても良い。
【００２３】
以上のように構成された偏向ヨークについて、以下その作用、効果を説明する。
【００２４】
本発明の偏向ヨーク１０は、絶縁枠２０の小口径部外壁２０ａに立設しかつフェライトコア４の小口径部外壁４ａを保持する複数の弾性突起部２１ａ、２１ｂが形成されているので、組立工程において、フェライトコア４を絶縁枠２０に装着した際、フェライトコア４の小口径部外壁４ａがテーパ部４ｅを有するため、弾性突起部２１ａ、２１ｂの弾性押圧力Ｆが小口径部外壁４ａのテーパ部４ｅに対して図１に示すように管軸Ｚに対して斜め方向に作用する。弾性押圧力Ｆの管軸Ｚ方向に平行な方向の力成分により、フェライトコア４の大口径部４ｄが絶縁枠２０の大口径部２０ｂ側に押圧され、フェライトコア４の管軸Ｚ方向の位置が規制される。また、弾性押圧力Ｆの管軸Ｚに直交する方向の力成分により、垂直軸Ｙ方向において、フェライトコア４の中心が管軸Ｚ上に位置規制される。したがって、本発明の偏向ヨーク１０は、絶縁枠に立設した複数の弾性突起部２１ａ、２１ｂのみでフェライトコア４の管軸Ｚ方向位置及び中心位置を最適位置に保持できるので構成が簡単になり、また、この偏向ヨーク１０をカラー陰極線管に装着した場合には、ＹＨクロス型ミスコンバーゼンスが低減できる。
【００２５】
次に本発明の効果を確認した実施例について説明する。
【００２６】
図１に示す本発明の偏向ヨーク及び図５に示す従来の偏向ヨーク（図１に示す本発明の偏向ヨークの弾性突起部２１ａ、２１ｂを取り除いたもの）をそれぞれ２０個製作し、４６（ｃｍ）コンピュータモニタ用カラー陰極線管（１本）に前記偏向ヨークのそれぞれを装着し、それぞれ２０個の偏向ヨークのＹＨクロス型ミスコンバーゼンス（以下「ＹＨｃ」という）を調べ、その２０個のＹＨｃ幅平均をＹＨｃばらつき幅とした。なお、ＹＨｃ幅とは垂直軸Ｙ上のパネル周辺部において、図８に示すＲ（赤）軌線とＢ（青）軌線との水平方向の最大距離Ｅをいう。
【００２７】
本発明の偏向ヨークを装着した場合、ＹＨｃばらつき幅が約１００μｍであった。それに対し、従来の偏向ヨークを装着した場合、ＹＨｃばらつき幅が約３５０μｍであった。すなわち、本発明の偏向ヨークを装着したカラー陰極線管装置におけるＹＨｃばらつき幅は、ミスコンバーゼンスが実用上問題とならない値である２００μｍの約１／２に低減でき、かつ、従来の偏向ヨークを装着したカラー陰極線管装置に比べ約１／３に低減することができた。これにより、ＹＨｃばらつき幅に対する偏向ヨークの歩留まりも向上できることがわかった。
【００２８】
本発明において、フェライトコア４の小口径部外壁４ａのテーパ部４ｅとは、小口径部の端側にいくに従って径が小さくなっているものを含む。従って、テーパ部４ｅを、上記の例のように、フェライトコア４の円錐台面状の外壁面と連続する曲面で構成していても良いが、本発明のテーパ部はこのような構成に限定されない。例えば、図９に示すように、フェライトコア４の小口径部外壁４ａの端部に、フェライトコア４の外壁面とは不連続にテーパ部４ｅを形成しても良い。このような構成とすることで、テーパ部４ｅのテーパ角度を変更して弾性突起部２１ａ，２１ｂによる弾性押圧力Ｆの管軸Ｚ方向に平行な方向の力成分の大きさを自由に設定することができる。
【００２９】
また、上記の偏向ヨークでは、フェライトコア４の小口径部外壁４ａにテーパ部４ｅを形成した例を示したが、テーパ部４ｅは必ずしも形成する必要はない。テーパ部４ｅが形成されないために小口径部外壁４ａの外径が管軸Ｚ方向に略一定の場合には、弾性突起部２１がフェライトコア４の小口径外壁４ａに印加する弾性押圧力Ｆの方向は、管軸Ｚにほぼ直交する。従って、この場合は、上記の実施の形態と比較すると、フェライトコア４の管軸Ｚ方向の位置決め精度は低下するが、フェライトコア４の小口径部の中心位置は上記の例と同様に管軸Ｚに一致した状態で保持される。よって、従来の偏向ヨークと比較して、ＹＨクロス型ミスコンバーゼンスを抑制することが可能である。
【００３０】
また、上記の例では屈曲部２１ｄは弾性突起部２１とともに樹脂を一体成形して得ているが、屈曲部２１ｄを金属板を屈曲させた板バネとし、これを弾性突起部２１ａ，２１ｂを樹脂成形する際に一体化しても良い。
【００３１】
【発明の効果】
以上のように、本発明の偏向ヨークは、絶縁枠の小口径部外壁に、フェライトコアの小口径部外壁を保持するための複数の弾性突起部が立設されているので、フェライトコアの中心位置を最適位置に保持できるものである。その結果、この偏向ヨークをカラー陰極線管に装着した場合、ＹＨクロス型ミスコンバーゼンスが低減された最適な画像を得ることができる。
【図面の簡単な説明】
【図１】本発明の偏向ヨークの垂直軸及び管軸を含む面での断面図
【図２】図１のII-II線での矢視断面図
【図３】本発明の偏向ヨークの弾性突起部の先端部の構成を示した斜視図
【図４】本発明のカラー陰極線管装置を示す断面図
【図５】従来の偏向ヨークの水平軸及び管軸を含む面での断面図
【図６】図５のVI−VI線での矢視断面図
【図７】従来の他の偏向ヨークの水平軸及び管軸を含む面での断面図
【図８】ＹＨクロス型ミスコンバーゼンスを示す図
【図９】本発明の偏向ヨークの小口径部外壁の別の構成例を示した部分拡大断面図
【符号の説明】
１  水平偏向コイル
３  垂直偏向コイル
４  フェライトコア
４ａ  フェライトコアの小口径部外壁
４ｅ  フェライトコアのテーパ部
１０  偏向ヨーク
２０  絶縁枠
２０ａ  絶縁枠の小口径部外壁
２１ａ、２１ｂ  弾性突起部
２１ｄ  屈曲部
２２ａ，２２ｂ  突起部
【図１】
0003784297.tif 000002
【図２】
0003784297.tif 000003
【図３】
0003784297.tif 000004
【図４】
0003784297.tif 000005
【図５】
0003784297.tif 000006
【図６】
0003784297.tif 000007
【図７】
0003784297.tif 000008
【図８】
0003784297.tif 000009
【図９】
0003784297.tif 000010